(57)【要約】【課題】微細な水滴によって水滴感を伴わずにサウナ対象室１０３を加湿するとともに加熱することによって、使用者が水滴感を感じずにサウナ対象室１０３内で快適に過ごすことができるとともに、ミストによって使用者が視界を遮られることなく、サウナ対象室１０３内で映像や読書を楽しむことができるサウナ装置を提供する。【解決手段】サウナ対象室１０３の空気を循環させる第１循環手段１および第２循環手段２と、供給空気を加熱する空気加熱手段１０７と、供給水を細かな水滴に破砕する水破砕手段３を備え、第１循環手段１により循環するサウナ対象室１０３の空気を空気加熱手段１０７で加熱することによってサウナ対象室１０３を加熱するとともに、第２循環手段２によって循環するサウナ対象室１０３の空気に水破砕手段３で発生した細かな水滴を含ませることによって、水滴感を伴わずにサウナ対象室１０３を加湿する。【選択図】図１
2006025966.tif 000002
【特許請求の範囲】
【請求項１】
サウナ対象室１０３の空気を循環させる第１循環手段１および第２循環手段２と、供給空気を加熱する空気加熱手段１０７と、供給水を細かな水滴に破砕する水破砕手段３を備え、前記第１循環手段１により循環するサウナ対象室１０３の空気を前記空気加熱手段１０７で加熱することによってサウナ対象室１０３を加熱するとともに、前記第２循環手段２によって循環するサウナ対象室１０３の空気に前記水破砕手段３で発生した水滴を含ませることによってサウナ対象室１０３を加湿することを特徴とするサウナ装置。
【請求項２】
水破砕手段３を、供給水をミスト状に噴出するミスト噴出手段１１０と、前記ミスト噴出手段１１０が噴出したミストを更に細かく破砕するミスト破砕手段１１とを備えた構成としたことを特徴とする請求項１記載のサウナ装置。
【請求項３】
第２循環手段２を、回転により空気を送風する第２ファン９を備えた構成とし、ミスト破砕手段１１を、前記第２ファン９にミスト噴出手段１１０から噴出したミストを衝突させることによりミストを破砕する構成としたことを特徴とする請求項２記載のサウナ装置。
【請求項４】
水破砕手段３で発生した水滴のうち比較的大粒の水滴を回収する水滴回収手段４を備え、前記水破砕手段３で発生した水滴のうち前記水滴回収手段４で回収されなかった微細水滴を、第２循環手段２によって循環するサウナ対象室１０３の空気に含ませる構成としたことを特徴とする請求項１、２または３記載のサウナ装置。
【請求項５】
水滴回収手段４を、水破砕手段３で発生した水滴のうち比較的大粒の水滴を回収するとともに、第２循環手段２により循環するサウナ対象室１０３の空気を加熱する構成としたことを特徴とする請求項４記載のサウナ装置。
【請求項６】
空気加熱手段１０７を、温水を熱媒とする第１空気−水熱交換器１２で構成するとともに、水滴回収手段４を、温水を熱媒とする第２空気−水熱交換器１３で構成し、熱媒である温水を、前記第１空気−水熱交換器１２および前記第２空気−水熱交換器１３に循環させる構成としたことを特徴とする請求項５記載のサウナ装置。
【請求項７】
第１空気−水熱交換器１２および第２空気−水熱交換器１３の熱媒である温水が、前記第１空気−水熱交換器１２、第２空気−水熱交換器１３の順に循環する構成としたことを特徴とする請求項６記載のサウナ装置。
【請求項８】
第１空気−水熱交換器１２および第２空気−水熱交換器１３の熱媒である温水が、前記第２空気−水熱交換器１３、第１空気−水熱交換器１２の順に循環する構成としたことを特徴とする請求項６記載のサウナ装置。
【請求項９】
第１空気−水熱交換器１２および第２空気−水熱交換器１３の熱媒である温水が、前記第１空気−水熱交換器１２と前記第２空気−水熱交換器１３の各々に分流して循環する構成としたことを特徴とする請求項６記載のサウナ装置。
【請求項１０】
水破砕手段３に供給される供給水を加熱する水加熱手段５を備えた構成としたことを特徴とする請求項１、２、３、４、５、６、７、８または９記載のサウナ装置。
【請求項１１】
水破砕手段３に供給される供給水を加熱する水加熱手段５を備え、前記水加熱手段５を、温水を熱媒とする水−水熱交換器１４で構成し、第１空気−水熱交換器１２、第２空気−水熱交換器１３および前記水−水熱交換器１４の熱媒である温水が前記第１空気−水熱交換器１２、前記第２空気−水熱交換器１３および前記水−水熱交換器１４に循環する構成としたことを特徴とする請求項６記載のサウナ装置。
【請求項１２】
第１空気−水熱交換器１２、第２空気−水熱交換器１３および水−水熱交換器１４の熱媒である温水が、前記第１空気−水熱交換器１２、前記第２空気−水熱交換器１３の順に循環するとともに、前記水−水熱交換器１４に分流して循環する構成としたことを特徴とする請求項１１記載のサウナ装置。
【請求項１３】
第１空気−水熱交換器１２、第２空気−水熱交換器１３および水−水熱交換器１４の熱媒である温水が、前記第２空気−水熱交換器１３、前記水−水熱交換器１４の順に循環するとともに、前記第１空気−水熱交換器１２に分流して循環する構成としたことを特徴とする請求項１１記載のサウナ装置。
【請求項１４】
第１空気−水熱交換器１２、第２空気−水熱交換器１３および水−水熱交換器１４の熱媒である温水が、前記水−水熱交換器１４、前記第２空気−水熱交換器１３の順に循環するとともに、前記第１空気−水熱交換器１２に分流して循環する構成としたことを特徴とする請求項１１記載のサウナ装置。
【請求項１５】
第１空気−水熱交換器１２、第２空気−水熱交換器１３および水−水熱交換器１４の熱媒である温水が、前記水−水熱交換器１４、前記第２空気−水熱交換器１３および前記第１空気−水熱交換器１２の各々に分流して循環する構成としたことを特徴とする請求項１１記載のサウナ装置。
【請求項１６】
第１空気−水熱交換器１２、第２空気−水熱交換器１３および水−水熱交換器１４の熱媒である温水が、前記水−水熱交換器１４、前記第２空気−水熱交換器１３および前記第１空気−水熱交換器１２に直列に循環する構成としたことを特徴とする請求項１１記載のサウナ装置。
【発明の詳細な説明】
【技術分野】
【０００１】
本発明は、サウナ対象室を加湿することにより、サウナ空間を得るサウナ装置に関する。
【背景技術】
【０００２】
従来のサウナ装置としては、ミスト噴出手段に温水を供給してサウナ対象室を加湿するものがある（例えば、特許文献１参照）。
【０００３】
以下、そのサウナ装置について図６を参照しながら説明する。
【０００４】
図６に示すように、サウナ装置の本体１０１内に、吸気口１０２を通してサウナ対象室１０３内の空気を吸引し、吹出口１０４を通して空気を吹出すための循環風路１０５、その循環風路１０５に通風作用を行う循環ファン１０６、循環風路１０５を通風する空気に対して加熱作用する空気加熱手段１０７としての熱交換器１０８、その熱交換器１０８に温水の供給を断続する熱動弁１０９、ミスト噴出手段１１０としての噴出ノズル１１１、噴出ノズル１１１に温水を供給するための温水供給路１１２および噴出ノズル１１１への温水の供給を断続する電磁弁１１３等を備えている。そして、温水供給路１１２を通じて供給される温水をミストとして噴出ノズル１１１から噴出させるとともに、循環ファン１０６を作動させ、サウナ対象室１０３内の温度が設定温度に維持されるように、熱動弁１０９の開閉を制御して熱交換器１０８に熱媒としての温水を循環供給し、この熱交換器１０８により加熱された循環空気を吹出口１０４からサウナ対象室１０３内に吹出すことによって高温高湿のサウナ空間を得るようにしている。
【特許文献１】特開２００２−３３６３２７号公報（第３−７頁、第１−５図）
【発明の開示】
【発明が解決しようとする課題】
【０００５】
以上の例では、温水供給路１１２からの温水を噴出ノズル１１１においてミスト状にしてサウナ対象室１０３内に供給することにより、サウナ対象室１０３内を加湿するようにしている。しかしながら噴出ノズル１１１からサウナ対象室１０３にミストが直接噴出される構成のため、噴出したミストが使用者の外皮に接触して水滴となり、使用者が不快感を感じるという問題や、噴出したミストによって使用者の視界が遮られて、使用者がサウナ対象室１０３内で映像や読書を楽しむことができないという問題があった。
【０００６】
本発明は上記課題を解決するものであり、微細な水滴によって水滴感を伴わずにサウナ対象室１０３を加湿するとともに加熱することによって、使用者が水滴感を感じずにサウナ対象室１０３内で快適に過ごすことができるとともに、ミストによって使用者が視界を遮られることなく、サウナ対象室１０３内で映像や読書を楽しむことができるサウナ装置を提供することを目的としている。
【課題を解決するための手段】
【０００７】
上記した目的を達成するために、本発明が講じた第１の課題解決手段は、サウナ対象室１０３の空気を循環させる第１循環手段１および第２循環手段２と、供給空気を加熱する空気加熱手段１０７と、供給水を細かな水滴に破砕する水破砕手段３を備え、前記第１循環手段１により循環するサウナ対象室１０３の空気を前記空気加熱手段１０７で加熱することによってサウナ対象室１０３を加熱するとともに、前記第２循環手段２によって循環するサウナ対象室１０３の空気に前記水破砕手段３で発生した水滴を含ませることによってサウナ対象室１０３を加湿するものである。
【０００８】
この手段では、空気加熱手段１０７が第１循環手段１によって循環しているサウナ対象室１０３の空気を加熱する。この空気加熱手段１０７で加熱された空気がサウナ対象室１０３に供給されるので、サウナ対象室１０３の温度が上昇する。また、水破砕手段３が供給水を破砕して細かな水滴を発生させる。そして第２循環手段２がサウナ対象室１０３の空気を水破砕手段３に供給する。これにより水破砕手段３で発生した水滴がサウナ対象室１０３の空気に混入してサウナ対象室１０３に供給される。この供給された水滴によってサウナ対象室の湿度が上昇する。このように第１循環手段１により循環する空気を加熱用空気、第２循環手段で循環する空気を加湿用空気として、サウナ対象室１０３の加熱と細かな水滴による水滴感のない加湿が同時に行われることになる。
【０００９】
また、本発明が講じた第２の課題解決手段は、上記第１の課題解決手段において、水破砕手段３を、供給水をミスト状に噴出するミスト噴出手段１１０と、前記ミスト噴出手段１１０が噴出したミストを更に細かく破砕するミスト破砕手段１１とを備えた構成としたものである。
【００１０】
この手段では、水破砕手段３としてミスト噴出手段１１０とミスト破砕手段１１が設けられる。そしてミスト噴出手段が供給水をミスト状に噴出し、ミスト噴出手段１１０が噴出したミストをミスト破砕手段１１によって更に細かく破砕する。この破砕作用によって微細な水滴が発生することになる。
【００１１】
また、本発明が講じた第３の課題解決手段は、上記第２の課題解決手段において、第２循環手段２を、回転により空気を送風する第２ファン９を備えた構成とし、ミスト破砕手段１１を、前記第２ファン９にミスト噴出手段１１０から噴出したミストを衝突させることによりミストを破砕する構成としたものである。
【００１２】
この手段では、ミスト噴出手段１１０が第２循環手段２の第２ファン９に向けてミストを噴出する。第２ファン９は送風のために回転しているので、第２ファン９に接触したミストは、この回転により強制的に細かく破砕される。この強制破砕作用によって更に細かな水滴が発生し、発生した水滴は第２ファン９によって送風される空気に含まれてサウナ対象室１０３に供給されることになる。
【００１３】
また、本発明が講じた第４の課題解決手段は、上記第１、第２または第３の課題解決手段において、水破砕手段３で発生した水滴のうち比較的大粒の水滴を回収する水滴回収手段４を備え、前記水破砕手段３で発生した水滴のうち前記水滴回収手段４で回収されなかった微細水滴を、第２循環手段２によって循環するサウナ対象室１０３の空気に含ませる構成としたものである。
【００１４】
この手段では、水滴回収手段４が水破砕手段３で発生した水滴のうち比較的大粒の水滴を回収する。水滴回収手段４には第２循環手段２によってサウナ対象室１０３の空気が供給されるので、水滴回収手段４で回収されなかった微細水滴がサウナ対象室１０３の空気に混入してサウナ対象室１０３に供給される。この供給された微細水滴によってサウナ対象室の湿度が上昇する。これにより微細水滴による水滴感のない加湿が行われることになる。
【００１５】
また、本発明が講じた第５の課題解決手段は、上記第４の課題解決手段において、水滴回収手段４を、水破砕手段３で発生した水滴のうち比較的大粒の水滴を回収するとともに、第２循環手段２により循環するサウナ対象室１０３の空気を加熱する構成としたものである。
【００１６】
この手段では、水滴回収手段４が水破砕手段３で発生した水滴のうち比較的大粒の水滴を回収するとともに、第２循環手段２によって循環しているサウナ対象室１０３の空気を加熱する。これにより空気の飽和水蒸気分圧が上昇し、水分をより多く含めるようになるので、この加熱された空気中に水滴回収手段４で回収されなかった微細水滴がより多く含まれて加湿量が増加することになる。
【００１７】
また、本発明が講じた第６の課題解決手段は、上記第５の課題解決手段において、空気加熱手段１０７を、温水を熱媒とする第１空気−水熱交換器１２で構成するとともに、水滴回収手段４を、温水を熱媒とする第２空気−水熱交換器１３で構成し、熱媒である温水を、前記第１空気−水熱交換器１２および前記第２空気−水熱交換器１３に循環させる構成としたものである。
【００１８】
この手段では、空気加熱手段１０７が温水を熱媒として加熱作用を行う第１空気−水熱交換器１２により構成され、水滴回収手段４が温水を熱媒として加熱作用を行う第２空気−水熱交換器１３により構成される。これにより第１循環手段１および第２循環手段２によって循環するサウナ対象室１０３の空気の加熱作用が温水という単一の熱媒回路によって行われることになる。また、第２空気−水熱交換器１３は、熱媒である温水を流通させる管路と、管路の熱を空気に効率的に伝熱させるための複数の伝熱板を備えており、水破砕手段３で発生した水滴が、第２空気−水熱交換器１３を通過する際に、比較的大粒の水滴が複数の伝熱板の間隙を通過できずに回収されるので、第２空気−水熱交換器１３が水滴回収手段４として作用することになる。
【００１９】
また、本発明が講じた第７の課題解決手段は、上記第６の課題解決手段において、第１空気−水熱交換器１２および第２空気−水熱交換器１３の熱媒である温水が、前記第１空気−水熱交換器１２、第２空気−水熱交換器１３の順に循環する構成としたものである。
【００２０】
この手段では、熱媒である温水が第１空気−水熱交換器１２において第１循環手段１により循環する空気、すなわち加熱用空気を加熱した後で、第２空気−水熱交換器１３において第２循環手段２により循環する空気、すなわち加湿用空気を加熱する。これにより単一の温水循環回路においてサウナ対象室１０３の加熱用空気の加熱と加湿用空気の加熱が行われ、さらに加熱用空気を加熱する温水温度が加湿用空気を加熱する温水温度より高くなるので、加熱用空気がより高温に加熱され、サウナ対象室１０３の加熱効果が高まることになる。
【００２１】
また、本発明が講じた第８の課題解決手段は、上記第６の課題解決手段において、第１空気−水熱交換器１２および第２空気−水熱交換器１３の熱媒である温水が、前記第２空気−水熱交換器１３、第１空気−水熱交換器１２の順に循環する構成としたものである。
【００２２】
この手段では、熱媒である温水が第２空気−水熱交換器１３において第２循環手段２により循環する空気、すなわち加湿用空気を加熱した後で、第１空気−水熱交換器１２において第１循環手段１により循環する空気、すなわち加熱用空気を加熱する。これにより単一の温水循環回路においてサウナ対象室１０３の加湿用空気の加熱と加熱用空気の加熱が行われ、さらに加湿用空気を加熱する温水温度が加熱用空気を加熱する温水温度より高くなるので、加湿用空気がより高温に加熱されることになる。これにより加湿用空気の飽和水蒸気分圧が更に上昇し、より多くの微細水滴を含めるようになるので、サウナ対象室１０３の加湿効果が高まる。
【００２３】
また、本発明が講じた第９の課題解決手段は、上記第６の課題解決手段において、第１空気−水熱交換器１２および第２空気−水熱交換器１３の熱媒である温水が、前記第１空気−水熱交換器１２と前記第２空気−水熱交換器１３の各々に分流して循環する構成としたものである。
【００２４】
この手段では、熱媒である温水が第１空気−水熱交換器１２と第２空気−水熱交換器１３とに分流して、第１循環手段１により循環する空気、すなわち加熱用空気の加熱と第２循環手段２により循環する空気、すなわち加湿用空気の加熱を各々行う。これにより、各々の加熱量の調整、すなわち温水の分流度合いの調整や温水供給の断続が容易となる。
【００２５】
また、本発明が講じた第１０の課題解決手段は、上記第１、第２、第３、第４、第５、第６、第７、第８または第９の課題解決手段において、水破砕手段３に供給される供給水を加熱する水加熱手段５を備えた構成としたものである。
【００２６】
この手段では、水加熱手段５が水破砕手段３に供給される供給水を加熱する。水破砕手段３は、この加熱された供給水を破砕して高温の水滴を発生させる。この高温の水滴が水滴回収手段４において比較的大粒の水滴を回収された後に第２循環手段２によってサウナ対象室１０３に供給されるので、水滴感および冷風感のない加湿が行われることになる。
【００２７】
また、本発明が講じた第１１の課題解決手段は、上記第６の課題解決手段において、水破砕手段３に供給される供給水を加熱する水加熱手段５を備え、前記水加熱手段５を、温水を熱媒とする水−水熱交換器１４で構成し、第１空気−水熱交換器１２、第２空気−水熱交換器１３および前記水−水熱交換器１４の熱媒である温水が前記第１空気−水熱交換器１２、前記第２空気−水熱交換器１３および前記水−水熱交換器１４に循環する構成としたものである。
【００２８】
この手段では、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環する加熱用空気を加熱し、水破砕手段３としての第２空気−水熱交換器１３が同様に温水を熱媒として第２循環手段２により循環する加湿用空気を加熱する。これによりサウナ対象室１０３の加熱と水滴感および冷風感のない加湿が温水という単一の熱媒回路によって同時に行われることになる。
【００２９】
また、本発明が講じた第１２の課題解決手段は、上記第１１の課題解決手段において、第１空気−水熱交換器１２、第２空気−水熱交換器１３および水−水熱交換器１４の熱媒である温水が、前記第１空気−水熱交換器１２、前記第２空気−水熱交換器１３の順に循環するとともに、前記水−水熱交換器１４に分流して循環する構成としたものである。
【００３０】
この手段では、熱媒である温水が第１空気−水熱交換器１２において第１循環手段１により循環する空気、すなわち加湿用空気を加熱した後で、第２空気−水熱交換器１３において第２循環手段２により循環する空気、すなわち加熱用空気を加熱するとともに、水−水熱交換器１４に分流して水破砕手段３に供給される供給水を加熱する。これにより加熱用空気を加熱する温水温度が加湿用空気を加熱する温水温度より高くなるので、加熱用空気がより高温に加熱されることになる。したがってサウナ対象室１０３の加熱効果が高まる。さらに第１空気−水熱交換器１２および第２空気−水熱交換器１３における加熱量と水−水熱交換器１４における加熱量の調整、すなわち温水の分流度合いの調整や温水供給の断続が容易となる。
【００３１】
また、本発明が講じた第１３の課題解決手段は、上記第１１の課題解決手段において、第１空気−水熱交換器１２、第２空気−水熱交換器１３および水−水熱交換器１４の熱媒である温水が、前記第２空気−水熱交換器１３、前記水−水熱交換器１４の順に循環するとともに、前記第１空気−水熱交換器１２に分流して循環する構成としたものである。
【００３２】
この手段では、熱媒である温水が第２空気−水熱交換器１３において第２循環手段２により循環する空気、すなわち加湿用空気を加熱した後で、水−水熱交換器１４において水破砕手段３に供給される供給水を加熱するとともに、第１空気−水熱交換器１２に分流して第１循環手段１により循環する空気、すなわち加熱用空気を加熱する。これにより加湿用空気を加熱する温水温度が供給水を加熱する温水温度より高くなるので、加湿用空気がより高温に加熱されることになる。これにより加湿用空気の飽和水蒸気分圧が更に上昇し、より多くの微細水滴を含めるようになるので、サウナ対象室１０３の加湿効果が高まる。さらに第２空気−水熱交換器１３および水−水熱交換器１４における加熱量と第１空気−水熱交換器１２における加熱量の調整、すなわち温水の分流度合いの調整や温水供給の断続が容易となる。
【００３３】
また、本発明が講じた第１４の課題解決手段は、上記第１１の課題解決手段において、第１空気−水熱交換器１２、第２空気−水熱交換器１３および水−水熱交換器１４の熱媒である温水が、前記水−水熱交換器１４、前記第２空気−水熱交換器１３の順に循環するとともに、前記第１空気−水熱交換器１２に分流して循環する構成としたものである。
【００３４】
この手段では、熱媒である温水が水−水熱交換器１４において水破砕手段３に供給される供給水を加熱した後で、第２空気−水熱交換器１３において第２循環手段２により循環する空気、すなわち加湿用空気を加熱するとともに、第１空気−水熱交換器１２に分流して第１循環手段１により循環する空気、すなわち加熱用空気を加熱する。これにより供給水を加熱する温水温度が加湿用空気を加熱する温水温度より高くなるので、供給水がより高温に加熱されてサウナ対象室１０３に供給される微細水滴がより高温になる。したがってサウナ対象室１０３の加湿に伴う冷風感の抑制効果が高まる。さらに水−水熱交換器１４および第２空気−水熱交換器１３における加熱量と第１空気−水熱交換器１２における加熱量の調整、すなわち温水の分流度合いの調整や温水供給の断続が容易となる。
【００３５】
また、本発明が講じた第１５の課題解決手段は、上記第１１の課題解決手段において、第１空気−水熱交換器１２、第２空気−水熱交換器１３および水−水熱交換器１４の熱媒である温水が、前記水−水熱交換器１４、前記第２空気−水熱交換器１３および前記第１空気−水熱交換器１２の各々に分流して循環する構成としたものである。
【００３６】
この手段では、熱媒である温水が第１空気−水熱交換器１２、第２空気−水熱交換器１３および水−水熱交換器１４の各々に分流して、第１循環手段１により循環する空気、すなわち加熱用空気の加熱と第２循環手段２により循環する空気、すなわち加湿用空気の加熱と水破砕手段３に供給される水の加熱を各々行う。これにより、各々の加熱量の調整、すなわち温水の分流度合いの調整や温水供給の断続が容易となる。
【００３７】
また、本発明が講じた第１６の課題解決手段は、上記第１１の課題解決手段において、第１空気−水熱交換器１２、第２空気−水熱交換器１３および水−水熱交換器１４の熱媒である温水が、前記水−水熱交換器１４、前記第２空気−水熱交換器１３および前記第１空気−水熱交換器１２に直列に循環する構成としたものである。
【００３８】
この手段では、熱媒である温水が第１空気−水熱交換器１２、第２空気−水熱交換器１３および水−水熱交換器１４を直列に循環して、第１循環手段１により循環する空気、すなわち加熱用空気の加熱と第２循環手段２により循環する空気、すなわち加湿用空気の加熱と水破砕手段３に供給される水の加熱を行う。これにより、単一の温水循環回路においてサウナ対象室１０３の加湿用空気の加熱、加熱用空気の加熱および供給水の加熱が行われる。
【発明の効果】
【００３９】
本願発明は、かかる構成とすることにより以下に記載されるような効果を奏するものである。
【００４０】
（イ）本願の第１の発明にかかるサウナ装置によれば、第１循環手段１によって循環しているサウナ対象室１０３の空気を、空気加熱手段１０７により加熱することによってサウナ対象室１０３を加熱することができるとともに、水破砕手段３が供給水を破砕することによって発生した水滴を、第２循環手段２により循環するサウナ対象室１０３の空気に含ませることによって、水滴感を伴わずにサウナ対象室１０３を加湿することができる。これにより使用者が水滴感を感じずに高温高湿のサウナ対象室１０３内で快適に過ごすことができ、また、ミストによって使用者の視界が遮られることがないので、使用者がサウナ対象室１０３内で映像や読書を楽しむことができる。
【００４１】
（ロ）また、本願の第２の発明にかかるサウナ装置によれば、上記（イ）に記載した効果に加えて、ミスト噴出手段１１０が噴出したミストをミスト破砕手段１１で更に細かく破砕することによって、より細かな水滴を発生することができる。これにより水破砕手段３をミスト噴出手段１１０とミスト破砕手段１１による簡略な構成とすることができる。
【００４２】
（ハ）また、本願の第３の発明にかかるサウナ装置によれば、上記（ロ）に記載した効果に加えて、ミスト噴出手段１１０が第２循環手段２の第２ファン９に向けてミストを噴出することによって、第２ファン９の回転によりミストを強制的に破砕し、更に細かな水滴を発生させることができる。これによりサウナ対象室１０３に細かな水滴を供給して水滴感なく加湿することができるとともに、サウナ対象室１０３の空気を循環させる第２循環手段２の一部を利用して水破砕手段３を構成できるため、装置を小型化することができる。
【００４３】
（ニ）また、本願の第４の発明にかかるサウナ装置によれば、上記（イ）、（ロ）または（ハ）に記載した効果に加えて、水破砕手段３が供給水を破砕することによって発生した水滴のうち比較的大粒の水滴を水滴回収手段４によって回収し、水滴回収手段４で回収されなかった微細水滴を第２循環手段２により循環するサウナ対象室１０３の空気に含ませることによって、サウナ対象室１０３を微細水滴によって加湿することができる。これにより使用者が水滴感を全く感じずにサウナ対象室１０３内で快適に過ごすことができる。
【００４４】
（ホ）また、本願の第５の発明にかかるサウナ装置によれば、上記（ニ）に記載した効果に加えて、水滴回収手段４を、水破砕手段３で発生した水滴のうち比較的大粒の水滴を回収するとともに、第２循環手段２により循環するサウナ対象室１０３の空気を加熱する構成とすることによって、水滴回収手段４で回収されなかった微細水滴を第２循環手段２により循環する空気により多く含ませることができる。これにより加湿量を増加することができる。
【００４５】
（ヘ）また、本願の第６の発明にかかるサウナ装置によれば、上記（ホ）に記載した効果に加えて、空気加熱手段１０７を、温水を熱媒として加熱作用を行う第１空気−水熱交換器１２で構成し、水滴回収手段４を、温水を熱媒として加熱作用を行う第２空気−水熱交換器１３で構成することによって、第１循環手段１および第２循環手段２により循環するサウナ対象室１０３の空気の加熱を温水のみの単一の熱媒回路という簡略な構成で行うことができる。さらに、水破砕手段３において発生した水滴のうち比較的大粒の水滴を第２空気−水熱交換器１３が備える複数の伝熱板の間隙において回収することができる。したがって水滴を回収するための特別な加工を要することがなく、水滴回収手段４を容易に構成することができる。
【００４６】
（ト）また、本願の第７の発明にかかるサウナ装置によれば、上記（ヘ）に記載した効果に加えて、熱媒である温水を第１空気−水熱交換器１２、第２空気−水熱交換器１３の順に循環させることによって、単一の温水循環回路という簡易な構成において、第１循環手段１により循環するサウナ対象室１０３加熱用空気の加熱と、第２循環手段２により循環するサウナ対象室１０３加湿用空気の加熱を行うことができる。さらに第１循環手段１によって循環する空気をより高温に加熱することが可能となり、サウナ対象室１０３の加熱効果を高めることができる。
【００４７】
（チ）また、本願の第８の発明にかかるサウナ装置によれば、上記（ヘ）に記載した効果に加えて、熱媒である温水を第２空気−水熱交換器１３、第１空気−水熱交換器１２の順に循環させることによって、単一の温水循環回路という簡易な構成において、第２循環手段２により循環するサウナ対象室１０３加湿用空気の加熱と、第１循環手段１により循環するサウナ対象室１０３加熱用空気の加熱を行うことができる。さらに第２循環手段２によって循環する空気をより高温に加熱することが可能となり、サウナ対象室１０３の加湿効果を高めることができる。
【００４８】
（リ）また、本願の第９の発明にかかるサウナ装置によれば、上記（ヘ）に記載した効果に加えて、熱媒である温水を第１空気−水熱交換器１２と第２空気−水熱交換器１３とに分流して循環させる構成とすることによって、第１循環手段１により循環するサウナ対象室１０３加熱用空気の加熱と、第２循環手段２により循環するサウナ対象室１０３加湿用空気の加熱の各々の加熱量の調整、すなわち温水の分流度合いの調整や温水供給の断続を容易に行うことができる。
【００４９】
（ヌ）また、本願の第１０の発明にかかるサウナ装置によれば、上記（イ）、（ロ）、（ハ）、（ニ）、（ホ）、（ヘ）、（ト）、（チ）または（リ）に記載した効果に加えて、水破砕手段３に供給される供給水を水加熱手段５で加熱することによって、水破砕手段３において温度の高い水滴を発生させることができる。これによりサウナ対象室１０３を水滴感および冷風感を伴わずに加湿することができる。
【００５０】
（ル）また、本願の第１１の発明にかかるサウナ装置によれば、上記（ヘ）に記載した効果に加えて、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環するサウナ対象室１０３加熱用の空気を加熱し、水破砕手段３としての第２空気−水熱交換器が同様に温水を熱媒として第２循環手段２により循環するサウナ対象室１０３加湿用の空気を加熱する構成とすることによって、サウナ対象室１０３の加熱と水滴感および冷風感のない加湿を温水のみの単一の熱媒回路という簡略な構成において同時に行うことができる。
【００５１】
（ヲ）また、本願の第１２の発明にかかるサウナ装置によれば、上記（ル）に記載した効果に加えて、熱媒である温水を、第１空気−水熱交換器１２、第２空気−水熱交換器１３の順に循環させるとともに、水−水熱交換器１４に分流して循環させる構成とすることによって、加熱用空気をより高温に加熱して、サウナ対象室１０３の加熱効果を高めることができる。さらに第１空気−水熱交換器１２および第２空気−水熱交換器１３における加熱量と水−水熱交換器１４における加熱量の調整、すなわち温水の分流度合いの調整や温水供給の断続を容易に行うことができる。
【００５２】
（ワ）また、本願の第１３の発明にかかるサウナ装置によれば、上記（ル）に記載した効果に加えて、熱媒である温水を、第２空気−水熱交換器１３、水−水熱交換器１４の順に循環させるとともに、第１空気−水熱交換器１２に分流して循環させる構成とすることによって、加湿用空気をより高温に加熱して飽和水蒸気分圧を高め、より多くの微細水滴を含まして、サウナ対象室１０３の加湿効果を高めることができる。さらに第２空気−水熱交換器１３および水−水熱交換器１４における加熱量と第１空気−水熱交換器１２における加熱量の調整、すなわち温水の分流度合いの調整や温水供給の断続を容易に行うことができる。
【００５３】
（カ）また、本願の第１４の発明にかかるサウナ装置によれば、上記（ル）に記載した効果に加えて、熱媒である温水を、水−水熱交換器１４、第２空気−水熱交換器１３の順に循環させるとともに、第１空気−水熱交換器１２に分流して循環させる構成とすることによって、供給水をより高温に加熱してサウナ対象室１０３に供給する微細水滴の温度を高め、サウナ対象室１０３の加湿に伴う冷風感の抑制効果を高めることができる。さらに水−水熱交換器１４および第２空気−水熱交換器１３における加熱量と第１空気−水熱交換器１２における加熱量の調整、すなわち温水の分流度合いの調整や温水供給の断続を容易に行うことができる。
【００５４】
（ヨ）また、本願の第１５の発明にかかるサウナ装置によれば、上記（ル）に記載した効果に加えて、熱媒である温水を、水−水熱交換器１４、第２空気−水熱交換器１３および第１空気−水熱交換器１２の各々に分流して循環させる構成とすることによって、各々の加熱量の調整、すなわち温水の分流度合いの調整や温水供給の断続を容易に行うことができる。
【００５５】
（タ）また、本願の第１６の発明にかかるサウナ装置によれば、上記（ル）に記載した効果に加えて、熱媒である温水を、前記水−水熱交換器１４、前記第２空気−水熱交換器１３および前記第１空気−水熱交換器１２に直列に循環させる構成とすることによって、単一の温水循環回路においてサウナ対象室１０３の加湿用空気の加熱、加熱用空気の加熱および供給水の加熱を行うことができ、熱媒回路の構成を簡略化することができる。
【発明を実施するための最良の形態】
【００５６】
以下、本発明の実施の形態について図面を参照しながら説明する。なお、従来の例と同一の構成要素については同一の符号を用い、詳細な説明は省略する。
【００５７】
（実施の形態１）
図１は、本発明の実施形態１にかかるサウナ装置の概略構成を示した図である。図１において、サウナ装置の本体１０１内に、サウナ対象室１０３の空気を循環させる第１循環手段１および第２循環手段２と、供給空気を加熱する空気加熱手段１０７と、供給水を細かな水滴に破砕する水破砕手段３と、水破砕手段３で発生した水滴のうち比較的大粒の水滴を回収する水滴回収手段４と、水破砕手段３に供給される供給水を加熱する水加熱手段５を備えた構成としている。第１循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第１循環風路６と、第１循環風路６に空気を送風するための第１ファン７とを備えており、第２循環手段２は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第２循環風路８と、この第２循環風路８に空気を送風するための第２ファン９とを備えている。水破砕手段３は、給水配管１０からの供給水をミスト状に噴出するミスト噴出手段１１０としての噴出ノズル１１１と、この噴出ノズル１１１から噴出したミストを更に細かく破砕するミスト破砕手段１１を備えている。ミスト破砕手段１１は、噴出ノズル１１１を第２ファン９に向けて配置し、噴出ノズル１１１から噴出したミストを第２ファン９に衝突させて第２ファン９の回転により強制的にミストを破砕する構成となっている。また、空気加熱手段１０７は、熱媒を流通させる管路および管路の熱を効率的に空気に伝熱させるための複数の伝熱板を有し、図示しない熱源機により循環する温水を熱媒とする第１空気−水熱交換器１２を、第１循環風路６内に備えた構成としており、水滴回収手段４は、同様に熱媒を流通させる管路および管路の熱を効率的に空気に伝熱させるための複数の伝熱板を有し、図示しない熱源機により循環する温水を熱媒とする第２空気−水熱交換器１３を、第２循環風路８内の第２ファン９の後段に配置した構成となっている。また、水加熱手段５は、空気加熱手段１０７と同様に図示しない熱源機により循環している温水を熱媒として用いており、この温水によって給水配管１０内の供給水を加熱する水−水熱交換器１４を備えた構成としている。そして図示しない熱源機により循環する温水は、温水配管１５によって第１空気−水熱交換器１２、第２空気−水熱交換器１３の順に循環するとともに水−水熱交換器１４に分流して循環するように配管され、この分流した後の温水配管１５に各々の温水の循環を断続させる熱動弁１０９ａ、１０９ｂを設けている。また、給水配管１０にも噴出ノズル１１１への給水の供給を断続させる電磁弁１１３を設けた構成としている。
【００５８】
上記構成において、次に運転動作を説明する。図示しないコントローラーからの運転指示が為されると、第１ファン７および第２ファン９を作動させてサウナ対象室１０３の空気を第１循環風路６および第２循環風路８に循環させるとともに、熱動弁１０９ａおよび熱動弁１０９ｂを開状態にして、図示しない熱源機からの温水を第１空気−水熱交換器１２から第２空気−水熱交換器１３を経て循環させるとともに水−水熱交換器１４にも分流させて循環させる。更に電磁弁１１３も開状態にして給水配管１０を通じて給水動作を行う。第１ファン７により循環するサウナ対象室１０３の空気は、第１空気−水熱交換器１２に供給されて、図示しない熱源機により循環する温水と熱交換して加熱され、高温の空気となってサウナ対象室１０３に戻る。また、給水配管１０からの供給水は、水−水熱交換器１４において図示しない熱源機により循環する温水との熱交換により加熱される。加熱された供給水は噴出ノズル１１１より高温のミスト状態となって噴出し、第２ファン９に衝突する。第２ファン９に衝突したミストは、第２ファン９の回転によって強制的に破砕され、細かな高温の水滴となり、第２ファン９により送風されるサウナ対象室１０３の空気に含まれて第２空気−水熱交換器１３に供給される。第２空気−水熱交換器１３は、図示しない熱源機により循環している温水が流通する管路と、この管路を流通する温水の熱を供給される空気に効率的に伝達するための複数の伝熱板を有しており、第２空気−水熱交換器１３に供給された細かな高温の水滴を含む空気は、この複数の伝熱板を介して温水と熱交換して加熱されるとともに、複数の伝熱板の間隙を通過する際に、含んでいる水滴のうち比較的大粒の水滴を回収されて吹出口１０４からサウナ対象室１０３に戻る。以上の動作を繰り返すことにより、空気加熱手段１０７において加熱された空気が継続的に供給されるとともに、水破砕手段３で発生した高温の水滴のうち水滴回収手段４において回収されなかった微細水滴がサウナ対象室１０３に継続して供給されるので、サウナ対象室１０３が水滴感および冷風感を伴わずに加湿されるとともに加熱されて、水滴感および冷風感のない高温高湿のサウナ空間が作られる。
【００５９】
また、上記運転状態から熱動弁１０９ｂおよび電磁弁１１３を閉状態に切り替えれば、水−水熱交換器１４への温水循環と噴出ノズル１１１への給水が遮断されるので、サウナ対象室を加湿せずに加熱のみ行うことができる。
【００６０】
以上、説明した構成および動作により、本実施形態のサウナ装置は以下の効果を奏するものである。
【００６１】
第１循環手段１によって循環しているサウナ対象室１０３の空気を、空気加熱手段１０７により加熱することによってサウナ対象室１０３を加熱することができるとともに、水破砕手段３が供給水を破砕することによって発生した水滴を、第２循環手段２により循環するサウナ対象室１０３の空気に含ませることによって、水滴感を伴わずにサウナ対象室１０３を加湿することができる。これにより使用者が水滴感を感じずに高温高湿のサウナ対象室１０３内で快適に過ごすことができ、また、ミストによって使用者の視界が遮られることがないので、使用者がサウナ対象室１０３内で映像や読書を楽しむことができる。
【００６２】
また、ミスト噴出手段１１０が噴出したミストをミスト破砕手段１１で更に細かく破砕することによって、より細かな水滴を発生することができる。これにより水破砕手段３をミスト噴出手段１１０とミスト破砕手段１１による簡略な構成とすることができる。
【００６３】
また、ミスト噴出手段１１０が第２循環手段２の第２ファン９に向けてミストを噴出することによって、第２ファン９の回転によりミストを強制的に破砕し、更に細かな水滴を発生させることができる。これによりサウナ対象室１０３に細かな水滴を供給して水滴感なく加湿することができるとともに、サウナ対象室１０３の空気を循環させる第２循環手段２の一部を利用して水破砕手段３を構成できるため、装置を小型化することができる。
【００６４】
また、水破砕手段３が供給水を破砕することによって発生した水滴のうち比較的大粒の水滴を水滴回収手段４によって回収し、水滴回収手段４で回収されなかった微細水滴を第２循環手段２により循環するサウナ対象室１０３の空気に含ませることによって、サウナ対象室１０３を微細水滴によって加湿することができる。これにより使用者が水滴感を全く感じずにサウナ対象室１０３内で快適に過ごすことができる。
【００６５】
また、水滴回収手段４を、水破砕手段３で発生した水滴のうち比較的大粒の水滴を回収するとともに、第２循環手段２により循環するサウナ対象室１０３の空気を加熱する構成とすることによって、水滴回収手段４で回収されなかった微細水滴を第２循環手段２により循環する空気により多く含ませることができる。これにより加湿量を増加することができる。
【００６６】
また、空気加熱手段１０７を、温水を熱媒として加熱作用を行う第１空気−水熱交換器１２で構成し、水滴回収手段４を、温水を熱媒として加熱作用を行う第２空気−水熱交換器１３で構成することによって、第１循環手段１および第２循環手段２により循環するサウナ対象室１０３の空気の加熱を温水のみの単一の熱媒回路という簡略な構成で行うことができる。さらに、水破砕手段３において発生した水滴のうち比較的大粒の水滴を第２空気−水熱交換器１３が備える複数の伝熱板の間隙において回収することができる。したがって水滴を回収するための特別な加工を要することがなく、水滴回収手段４を容易に構成することができる。
【００６７】
また、熱媒である温水を第１空気−水熱交換器１２、第２空気−水熱交換器１３の順に循環させることによって、単一の温水循環回路という簡易な構成において、第１循環手段１により循環するサウナ対象室１０３加熱用空気の加熱と、第２循環手段２により循環するサウナ対象室１０３加湿用空気の加熱を行うことができる。さらに第１循環手段１によって循環する空気をより高温に加熱することが可能となり、サウナ対象室１０３の加熱効果を高めることができる。
【００６８】
また、水破砕手段３に供給される供給水を水加熱手段５で加熱することによって、水破砕手段３において温度の高い水滴を発生させることができる。これによりサウナ対象室１０３を水滴感および冷風感を伴わずに加湿することができる。
【００６９】
また、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環するサウナ対象室１０３加熱用の空気を加熱し、水破砕手段３としての第２空気−水熱交換器が同様に温水を熱媒として第２循環手段２により循環するサウナ対象室１０３加湿用の空気を加熱する構成とすることによって、サウナ対象室１０３の加熱と水滴感および冷風感のない加湿を温水のみの単一の熱媒回路という簡略な構成において同時に行うことができる。
【００７０】
また、熱媒である温水を、第１空気−水熱交換器１２、第２空気−水熱交換器１３の順に循環させるとともに、水−水熱交換器１４に分流して循環させる構成とすることによって、加熱用空気をより高温に加熱して、サウナ対象室１０３の加熱効果を高めることができる。さらに第１空気−水熱交換器１２および第２空気−水熱交換器１３における加熱量と水−水熱交換器１４における加熱量の調整、すなわち温水の分流度合いの調整や温水供給の断続を容易に行うことができる。
【００７１】
なお、本実施形態では、ミスト噴出手段１１０が噴出したミストを更に細かく破砕するミスト破砕手段１１として、第２循環手段２の第２ファン９を用いたが、ミスト破砕手段１１はミストを細かく破砕できるものであれば良いのであって、回転板等を別途設ける構成としても良い。
【００７２】
また、本実施形態では、ミスト噴出手段１１０を１個の噴出ノズル１１１にて構成したが、ミスト噴出手段１１０はミストを噴出できるものであれば良いのであって、噴出ノズルを複数設け、ミストの噴出を切り替えるように構成しても良い。
【００７３】
また、本実施形態では、空気加熱手段１０７を熱媒に温水を用いた第１空気−水熱交換器１２を設ける構成としたが、空気加熱手段１０７は空気を加熱できるものであれば良いのであって、ヒーターを用いて空気を加熱しても良く、あるいはヒーターと温水コイルを併用しても良い。
【００７４】
また、本実施形態では、水破砕手段３に供給される供給水を加熱する水加熱手段５として、熱媒に温水を用いた水−水熱交換器１４を設ける構成としたが、水加熱手段５は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段５をサウナ装置内に設ける必要がないので装置を小型化することができる。
【００７５】
また、本実施形態では、水滴回収手段４を第２空気−水熱交換器１３で構成し、第２空気−水熱交換器１３の複数の伝熱板の間隙において比較的大粒の水滴を回収する構成としたが、水滴回収手段４は、水破砕手段３で発生した水滴のうち比較的大粒の水滴を回収できるものであれば良いのであって、気水分離板等を別途設ける構成としても良い。そして水破砕手段３とは別に第２循環手段２により循環するサウナ対象室１０３加湿用の空気を加熱する加熱手段、例えば温水コイルやヒーターを設け、加湿用の空気を加熱する構成としても良い。
【００７６】
また、本実施形態では、水滴回収手段４が回収する比較的大粒の水滴について具体的な水滴径を示していないが、水滴回収手段４は使用者が目視確認できる程度の水滴を回収できるものであればよく、１００μｍ以上の粒径の水滴を回収することにより効果を奏することができるものである。より望ましくは、１０ｍ以上の粒径の水滴を回収すれば、水滴回収後の空気中には目視で確認できる水滴は殆どなくなるため、十分な効果を奏することができる。
【００７７】
また、本実施形態では、第２循環手段２により循環する空気に含まれてサウナ対象室に供給される水滴について具体的な水滴径を示していないが、サウナ対象室１０３に供給される水滴の水滴径は使用者が目視確認できない程度の粒径であればよく、１００μｍ以下の粒径の水滴を供給すれば水滴感のない加湿を行う効果を奏することができるものである。より望ましくは、１０ｍ以下の粒径の水滴を供給すれば、供給空気中には目視で確認できる水滴は殆どなくなるため、十分な効果を奏することができる。
【００７８】
（実施の形態２）
図２は、本発明の実施形態２にかかるサウナ装置の概略構成を示した図である。図２において、サウナ装置の本体１０１内に、サウナ対象室１０３の空気を循環させる第１循環手段１および第２循環手段２と、供給空気を加熱する空気加熱手段１０７と、供給水を細かな水滴に破砕する水破砕手段３と、水破砕手段３で発生した水滴のうち比較的大粒の水滴を回収する水滴回収手段４と、水破砕手段３に供給される供給水を加熱する水加熱手段５を備えた構成としている。第１循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第１循環風路６と、第１循環風路６に空気を送風するための第１ファン７とを備えており、第２循環手段２は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第２循環風路８と、この第２循環風路８に空気を送風するための第２ファン９とを備えている。水破砕手段３は、給水配管１０からの供給水をミスト状に噴出するミスト噴出手段１１０としての噴出ノズル１１１と、この噴出ノズル１１１から噴出したミストを更に細かく破砕するミスト破砕手段１１を備えている。ミスト破砕手段１１は、噴出ノズル１１１を第２ファン９に向けて配置し、噴出ノズル１１１から噴出したミストを第２ファン９に衝突させて第２ファン９の回転により強制的にミストを破砕する構成となっている。また、空気加熱手段１０７は、熱媒を流通させる管路および管路の熱を効率的に空気に伝熱させるための複数の伝熱板を有し、図示しない熱源機により循環する温水を熱媒とする第１空気−水熱交換器１２を、第１循環風路６内に備えた構成としており、水滴回収手段４は、同様に熱媒を流通させる管路および管路の熱を効率的に空気に伝熱させるための複数の伝熱板を有し、図示しない熱源機により循環する温水を熱媒とする第２空気−水熱交換器１３を、第２循環風路８内の第２ファン９の後段に配置した構成となっている。また、水加熱手段５は、空気加熱手段１０７と同様に図示しない熱源機により循環している温水を熱媒として用いており、この温水によって給水配管１０内の供給水を加熱する水−水熱交換器１４を備えた構成としている。そして図示しない熱源機により循環する温水は、温水配管１５によって第２空気−水熱交換器１３、水−水熱交換器１４の順に循環するとともに第１空気−水熱交換器１２に分流して循環するように配管され、この分流した後の温水配管１５に各々の温水の循環を断続させる熱動弁１０９ａ、１０９ｂを設けている。また、給水配管１０にも噴出ノズル１１１への給水の供給を断続させる電磁弁１１３を設けた構成としている。
【００７９】
上記構成において、次に運転動作を説明する。図示しないコントローラーからの運転指示が為されると、第１ファン７および第２ファン９を作動させてサウナ対象室１０３の空気を第１循環風路６および第２循環風路８に循環させるとともに、熱動弁１０９ａおよび熱動弁１０９ｂを開状態にして、図示しない熱源機からの温水を第２空気−水熱交換器１３から水−水熱交換器１４を経て循環させるとともに第１空気−水熱交換器１２にも分流させて循環させる。更に電磁弁１１３も開状態にして給水配管１０を通じて給水動作を行う。第１ファン７により循環するサウナ対象室１０３の空気は、第１空気−水熱交換器１２に供給されて、図示しない熱源機により循環する温水と熱交換して加熱され、高温の空気となってサウナ対象室１０３に戻る。また、給水配管１０からの供給水は、水−水熱交換器１４において図示しない熱源機により循環する温水との熱交換により加熱される。加熱された供給水は噴出ノズル１１１より高温のミスト状態となって噴出し、第２ファン９に衝突する。第２ファン９に衝突したミストは、第２ファン９の回転によって強制的に破砕され、細かな高温の水滴となり、第２ファン９により送風されるサウナ対象室１０３の空気に含まれて第２空気−水熱交換器１３に供給される。第２空気−水熱交換器１３は、図示しない熱源機により循環している温水が流通する管路と、この管路を流通する温水の熱を供給される空気に効率的に伝達するための複数の伝熱板を有しており、第２空気−水熱交換器１３に供給された細かな高温の水滴を含む空気は、この複数の伝熱板を介して温水と熱交換して加熱されるとともに、複数の伝熱板の間隙を通過する際に、含んでいる水滴のうち比較的大粒の水滴を回収されて吹出口１０４からサウナ対象室１０３に戻る。以上の動作を繰り返すことにより、空気加熱手段１０７において加熱された空気が継続的に供給されるとともに、水破砕手段３で発生した高温の水滴のうち水滴回収手段４において回収されなかった微細水滴がサウナ対象室１０３に継続して供給されるので、サウナ対象室１０３が水滴感および冷風感を伴わずに加湿されるとともに加熱されて、水滴感および冷風感のない高温高湿のサウナ空間が作られる。
【００８０】
また、上記運転状態から熱動弁１０９ａのみを閉状態に切り替えれば、第１空気−水熱交換器１２への温水循環が遮断されるので、サウナ対象室１０３を加熱せずに加湿のみ行うことができる。
【００８１】
また、上記運転状態から熱動弁１０９ｂおよび電磁弁１１３を閉状態に切り替えれば、第２空気−水熱交換器１３、水−水熱交換器１４への温水循環と噴出ノズル１１１への給水が遮断されるので、サウナ対象室を加湿せずに加熱のみ行うことができる。
【００８２】
以上、説明した構成および動作により、本実施形態のサウナ装置は以下の効果を奏するものである。
【００８３】
第１循環手段１によって循環しているサウナ対象室１０３の空気を、空気加熱手段１０７により加熱することによってサウナ対象室１０３を加熱することができるとともに、水破砕手段３が供給水を破砕することによって発生した水滴を、第２循環手段２により循環するサウナ対象室１０３の空気に含ませることによって、水滴感を伴わずにサウナ対象室１０３を加湿することができる。これにより使用者が水滴感を感じずに高温高湿のサウナ対象室１０３内で快適に過ごすことができ、また、ミストによって使用者の視界が遮られることがないので、使用者がサウナ対象室１０３内で映像や読書を楽しむことができる。
【００８４】
また、ミスト噴出手段１１０が噴出したミストをミスト破砕手段１１で更に細かく破砕することによって、より細かな水滴を発生することができる。これにより水破砕手段３をミスト噴出手段１１０とミスト破砕手段１１による簡略な構成とすることができる。
【００８５】
また、ミスト噴出手段１１０が第２循環手段２の第２ファン９に向けてミストを噴出することによって、第２ファン９の回転によりミストを強制的に破砕し、更に細かな水滴を発生させることができる。これによりサウナ対象室１０３に細かな水滴を供給して水滴感なく加湿することができるとともに、サウナ対象室１０３の空気を循環させる第２循環手段２の一部を利用して水破砕手段３を構成できるため、装置を小型化することができる。
【００８６】
また、水破砕手段３が供給水を破砕することによって発生した水滴のうち比較的大粒の水滴を水滴回収手段４によって回収し、水滴回収手段４で回収されなかった微細水滴を第２循環手段２により循環するサウナ対象室１０３の空気に含ませることによって、サウナ対象室１０３を微細水滴によって加湿することができる。これにより使用者が水滴感を全く感じずにサウナ対象室１０３内で快適に過ごすことができる。
【００８７】
また、水滴回収手段４を、水破砕手段３で発生した水滴のうち比較的大粒の水滴を回収するとともに、第２循環手段２により循環するサウナ対象室１０３の空気を加熱する構成とすることによって、水滴回収手段４で回収されなかった微細水滴を第２循環手段２により循環する空気により多く含ませることができる。これにより加湿量を増加することができる。
【００８８】
また、空気加熱手段１０７を、温水を熱媒として加熱作用を行う第１空気−水熱交換器１２で構成し、水滴回収手段４を、温水を熱媒として加熱作用を行う第２空気−水熱交換器１３で構成することによって、第１循環手段１および第２循環手段２により循環するサウナ対象室１０３の空気の加熱を温水のみの単一の熱媒回路という簡略な構成で行うことができる。さらに、水破砕手段３において発生した水滴のうち比較的大粒の水滴を第２空気−水熱交換器１３が備える複数の伝熱板の間隙において回収することができる。したがって水滴を回収するための特別な加工を要することがなく、水滴回収手段４を容易に構成することができる。
【００８９】
また、熱媒である温水を第１空気−水熱交換器１２と第２空気−水熱交換器１３とに分流して循環させる構成とすることによって、第１循環手段１により循環するサウナ対象室１０３加熱用空気の加熱と、第２循環手段２により循環するサウナ対象室１０３加湿用空気の加熱の各々の加熱量の調整、すなわち温水の分流度合いの調整や温水供給の断続を容易に行うことができる。
【００９０】
また、水破砕手段３に供給される供給水を水加熱手段５で加熱することによって、水破砕手段３において温度の高い水滴を発生させることができる。これによりサウナ対象室１０３を水滴感および冷風感を伴わずに加湿することができる。
【００９１】
また、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環するサウナ対象室１０３加熱用の空気を加熱し、水破砕手段３としての第２空気−水熱交換器が同様に温水を熱媒として第２循環手段２により循環するサウナ対象室１０３加湿用の空気を加熱する構成とすることによって、サウナ対象室１０３の加熱と水滴感および冷風感のない加湿を温水のみの単一の熱媒回路という簡略な構成において同時に行うことができる。
【００９２】
また、熱媒である温水を、第２空気−水熱交換器１３、水−水熱交換器１４の順に循環させるとともに、第１空気−水熱交換器１２に分流して循環させる構成とすることによって、加湿用空気をより高温に加熱して飽和水蒸気分圧を高め、より多くの微細水滴を含まして、サウナ対象室１０３の加湿効果を高めることができる。さらに第２空気−水熱交換器１３および水−水熱交換器１４における加熱量と第１空気−水熱交換器１２における加熱量の調整、すなわち温水の分流度合いの調整や温水供給の断続を容易に行うことができる。
【００９３】
なお、本実施形態では、ミスト噴出手段１１０が噴出したミストを更に細かく破砕するミスト破砕手段１１として、第２循環手段２の第２ファン９を用いたが、ミスト破砕手段１１はミストを細かく破砕できるものであれば良いのであって、回転板等を別途設ける構成としても良い。
【００９４】
また、本実施形態では、ミスト噴出手段１１０を１個の噴出ノズル１１１にて構成したが、ミスト噴出手段１１０はミストを噴出できるものであれば良いのであって、噴出ノズルを複数設け、ミストの噴出を切り替えるように構成しても良い。
【００９５】
また、本実施形態では、空気加熱手段１０７を熱媒に温水を用いた第１空気−水熱交換器１２を設ける構成としたが、空気加熱手段１０７は空気を加熱できるものであれば良いのであって、ヒーターを用いて空気を加熱しても良く、あるいはヒーターと温水コイルを併用しても良い。
【００９６】
また、本実施形態では、水破砕手段３に供給される供給水を加熱する水加熱手段５として、熱媒に温水を用いた水−水熱交換器１４を設ける構成としたが、水加熱手段５は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段５をサウナ装置内に設ける必要がないので装置を小型化することができる。
【００９７】
また、本実施形態では、水滴回収手段４を第２空気−水熱交換器１３で構成し、第２空気−水熱交換器１３の複数の伝熱板の間隙において比較的大粒の水滴を回収する構成としたが、水滴回収手段４は、水破砕手段３で発生した水滴のうち比較的大粒の水滴を回収できるものであれば良いのであって、気水分離板等を別途設ける構成としても良い。そして水破砕手段３とは別に第２循環手段２により循環するサウナ対象室１０３加湿用の空気を加熱する加熱手段、例えば温水コイルやヒーターを設け、加湿用の空気を加熱する構成としても良い。
【００９８】
また、本実施形態では、水滴回収手段４が回収する比較的大粒の水滴について具体的な水滴径を示していないが、水滴回収手段４は使用者が目視確認できる程度の水滴を回収できるものであればよく、１００μｍ以上の粒径の水滴を回収することにより効果を奏することができるものである。より望ましくは、１０ｍ以上の粒径の水滴を回収すれば、水滴回収後の空気中には目視で確認できる水滴は殆どなくなるため、十分な効果を奏することができる。
【００９９】
また、本実施形態では、第２循環手段２により循環する空気に含まれてサウナ対象室に供給される水滴について具体的な水滴径を示していないが、サウナ対象室１０３に供給される水滴の水滴径は使用者が目視確認できない程度の粒径であればよく、１００μｍ以下の粒径の水滴を供給すれば水滴感のない加湿を行う効果を奏することができるものである。より望ましくは、１０ｍ以下の粒径の水滴を供給すれば、供給空気中には目視で確認できる水滴は殆どなくなるため、十分な効果を奏することができる。
【０１００】
（実施の形態３）
図３は、本発明の実施形態３にかかるサウナ装置の概略構成を示した図である。図３において、サウナ装置の本体１０１内に、サウナ対象室１０３の空気を循環させる第１循環手段１および第２循環手段２と、供給空気を加熱する空気加熱手段１０７と、供給水を細かな水滴に破砕する水破砕手段３と、水破砕手段３で発生した水滴のうち比較的大粒の水滴を回収する水滴回収手段４と、水破砕手段３に供給される供給水を加熱する水加熱手段５を備えた構成としている。第１循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第１循環風路６と、第１循環風路６に空気を送風するための第１ファン７とを備えており、第２循環手段２は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第２循環風路８と、この第２循環風路８に空気を送風するための第２ファン９とを備えている。水破砕手段３は、給水配管１０からの供給水をミスト状に噴出するミスト噴出手段１１０としての噴出ノズル１１１と、この噴出ノズル１１１から噴出したミストを更に細かく破砕するミスト破砕手段１１を備えている。ミスト破砕手段１１は、噴出ノズル１１１を第２ファン９に向けて配置し、噴出ノズル１１１から噴出したミストを第２ファン９に衝突させて第２ファン９の回転により強制的にミストを破砕する構成となっている。また、空気加熱手段１０７は、熱媒を流通させる管路および管路の熱を効率的に空気に伝熱させるための複数の伝熱板を有し、図示しない熱源機により循環する温水を熱媒とする第１空気−水熱交換器１２を、第１循環風路６内に備えた構成としており、水滴回収手段４は、同様に熱媒を流通させる管路および管路の熱を効率的に空気に伝熱させるための複数の伝熱板を有し、図示しない熱源機により循環する温水を熱媒とする第２空気−水熱交換器１３を、第２循環風路８内の第２ファン９の後段に配置した構成となっている。また、水加熱手段５は、空気加熱手段１０７と同様に図示しない熱源機により循環している温水を熱媒として用いており、この温水によって給水配管１０内の供給水を加熱する水−水熱交換器１４を備えた構成としている。そして図示しない熱源機により循環する温水は、温水配管１５によって水−水熱交換器１４、第２空気−水熱交換器１３の順に循環するとともに第１空気−水熱交換器１２に分流して循環するように配管され、この分流した後の温水配管１５に各々の温水の循環を断続させる熱動弁１０９ａ、１０９ｂを設けている。また、給水配管１０にも噴出ノズル１１１への給水の供給を断続させる電磁弁１１３を設けた構成としている。
【０１０１】
上記構成において、次に運転動作を説明する。図示しないコントローラーからの運転指示が為されると、第１ファン７および第２ファン９を作動させてサウナ対象室１０３の空気を第１循環風路６および第２循環風路８に循環させるとともに、熱動弁１０９ａおよび熱動弁１０９ｂを開状態にして、図示しない熱源機からの温水を水−水熱交換器１４から第２空気−水熱交換器１３を経て循環させるとともに第１空気−水熱交換器１２にも分流させて循環させる。更に電磁弁１１３も開状態にして給水配管１０を通じて給水動作を行う。第１ファン７により循環するサウナ対象室１０３の空気は、第１空気−水熱交換器１２に供給されて、図示しない熱源機により循環する温水と熱交換して加熱され、高温の空気となってサウナ対象室１０３に戻る。また、給水配管１０からの供給水は、水−水熱交換器１４において図示しない熱源機により循環する温水との熱交換により加熱される。加熱された供給水は噴出ノズル１１１より高温のミスト状態となって噴出し、第２ファン９に衝突する。第２ファン９に衝突したミストは、第２ファン９の回転によって強制的に破砕され、細かな高温の水滴となり、第２ファン９により送風されるサウナ対象室１０３の空気に含まれて第２空気−水熱交換器１３に供給される。第２空気−水熱交換器１３は、図示しない熱源機により循環している温水が流通する管路と、この管路を流通する温水の熱を供給される空気に効率的に伝達するための複数の伝熱板を有しており、第２空気−水熱交換器１３に供給された細かな高温の水滴を含む空気は、この複数の伝熱板を介して温水と熱交換して加熱されるとともに、複数の伝熱板の間隙を通過する際に、含んでいる水滴のうち比較的大粒の水滴を回収されて吹出口１０４からサウナ対象室１０３に戻る。以上の動作を繰り返すことにより、空気加熱手段１０７において加熱された空気が継続的に供給されるとともに、水破砕手段３で発生した高温の水滴のうち水滴回収手段４において回収されなかった微細水滴がサウナ対象室１０３に継続して供給されるので、サウナ対象室１０３が水滴感および冷風感を伴わずに加湿されるとともに加熱されて、水滴感および冷風感のない高温高湿のサウナ空間が作られる。
【０１０２】
また、上記運転状態から熱動弁１０９ａのみを閉状態に切り替えれば、第１空気−水熱交換器１２への温水循環が遮断されるので、サウナ対象室１０３を加熱せずに加湿のみ行うことができる。
【０１０３】
また、上記運転状態から熱動弁１０９ｂおよび電磁弁１１３を閉状態に切り替えれば、水−水熱交換器１４、第２空気−水熱交換器１３への温水循環と噴出ノズル１１１への給水が遮断されるので、サウナ対象室を加湿せずに加熱のみ行うことができる。
【０１０４】
以上、説明した構成および動作により、本実施形態のサウナ装置は以下の効果を奏するものである。
【０１０５】
第１循環手段１によって循環しているサウナ対象室１０３の空気を、空気加熱手段１０７により加熱することによってサウナ対象室１０３を加熱することができるとともに、水破砕手段３が供給水を破砕することによって発生した水滴を、第２循環手段２により循環するサウナ対象室１０３の空気に含ませることによって、水滴感を伴わずにサウナ対象室１０３を加湿することができる。これにより使用者が水滴感を感じずに高温高湿のサウナ対象室１０３内で快適に過ごすことができ、また、ミストによって使用者の視界が遮られることがないので、使用者がサウナ対象室１０３内で映像や読書を楽しむことができる。
【０１０６】
また、ミスト噴出手段１１０が噴出したミストをミスト破砕手段１１で更に細かく破砕することによって、より細かな水滴を発生することができる。これにより水破砕手段３をミスト噴出手段１１０とミスト破砕手段１１による簡略な構成とすることができる。
【０１０７】
また、ミスト噴出手段１１０が第２循環手段２の第２ファン９に向けてミストを噴出することによって、第２ファン９の回転によりミストを強制的に破砕し、更に細かな水滴を発生させることができる。これによりサウナ対象室１０３に細かな水滴を供給して水滴感なく加湿することができるとともに、サウナ対象室１０３の空気を循環させる第２循環手段２の一部を利用して水破砕手段３を構成できるため、装置を小型化することができる。
【０１０８】
また、水破砕手段３が供給水を破砕することによって発生した水滴のうち比較的大粒の水滴を水滴回収手段４によって回収し、水滴回収手段４で回収されなかった微細水滴を第２循環手段２により循環するサウナ対象室１０３の空気に含ませることによって、サウナ対象室１０３を微細水滴によって加湿することができる。これにより使用者が水滴感を全く感じずにサウナ対象室１０３内で快適に過ごすことができる。
【０１０９】
また、水滴回収手段４を、水破砕手段３で発生した水滴のうち比較的大粒の水滴を回収するとともに、第２循環手段２により循環するサウナ対象室１０３の空気を加熱する構成とすることによって、水滴回収手段４で回収されなかった微細水滴を第２循環手段２により循環する空気により多く含ませることができる。これにより加湿量を増加することができる。
【０１１０】
また、空気加熱手段１０７を、温水を熱媒として加熱作用を行う第１空気−水熱交換器１２で構成し、水滴回収手段４を、温水を熱媒として加熱作用を行う第２空気−水熱交換器１３で構成することによって、第１循環手段１および第２循環手段２により循環するサウナ対象室１０３の空気の加熱を温水のみの単一の熱媒回路という簡略な構成で行うことができる。さらに、水破砕手段３において発生した水滴のうち比較的大粒の水滴を第２空気−水熱交換器１３が備える複数の伝熱板の間隙において回収することができる。したがって水滴を回収するための特別な加工を要することがなく、水滴回収手段４を容易に構成することができる。
【０１１１】
また、熱媒である温水を第１空気−水熱交換器１２と第２空気−水熱交換器１３とに分流して循環させる構成とすることによって、第１循環手段１により循環するサウナ対象室１０３加熱用空気の加熱と、第２循環手段２により循環するサウナ対象室１０３加湿用空気の加熱の各々の加熱量の調整、すなわち温水の分流度合いの調整や温水供給の断続を容易に行うことができる。
【０１１２】
また、水破砕手段３に供給される供給水を水加熱手段５で加熱することによって、水破砕手段３において温度の高い水滴を発生させることができる。これによりサウナ対象室１０３を水滴感および冷風感を伴わずに加湿することができる。
【０１１３】
また、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環するサウナ対象室１０３加熱用の空気を加熱し、水破砕手段３としての第２空気−水熱交換器が同様に温水を熱媒として第２循環手段２により循環するサウナ対象室１０３加湿用の空気を加熱する構成とすることによって、サウナ対象室１０３の加熱と水滴感および冷風感のない加湿を温水のみの単一の熱媒回路という簡略な構成において同時に行うことができる。
【０１１４】
また、熱媒である温水を、水−水熱交換器１４、第２空気−水熱交換器１３の順に循環させるとともに、第１空気−水熱交換器１２に分流して循環させる構成とすることによって、供給水をより高温に加熱してサウナ対象室１０３に供給する微細水滴の温度を高め、サウナ対象室１０３の加湿に伴う冷風感の抑制効果を高めることができる。さらに水−水熱交換器１４および第２空気−水熱交換器１３における加熱量と第１空気−水熱交換器１２における加熱量の調整、すなわち温水の分流度合いの調整や温水供給の断続を容易に行うことができる。
【０１１５】
なお、本実施形態では、ミスト噴出手段１１０が噴出したミストを更に細かく破砕するミスト破砕手段１１として、第２循環手段２の第２ファン９を用いたが、ミスト破砕手段１１はミストを細かく破砕できるものであれば良いのであって、回転板等を別途設ける構成としても良い。
【０１１６】
また、本実施形態では、ミスト噴出手段１１０を１個の噴出ノズル１１１にて構成したが、ミスト噴出手段１１０はミストを噴出できるものであれば良いのであって、噴出ノズルを複数設け、ミストの噴出を切り替えるように構成しても良い。
【０１１７】
また、本実施形態では、空気加熱手段１０７を熱媒に温水を用いた第１空気−水熱交換器１２を設ける構成としたが、空気加熱手段１０７は空気を加熱できるものであれば良いのであって、ヒーターを用いて空気を加熱しても良く、あるいはヒーターと温水コイルを併用しても良い。
【０１１８】
また、本実施形態では、水破砕手段３に供給される供給水を加熱する水加熱手段５として、熱媒に温水を用いた水−水熱交換器１４を設ける構成としたが、水加熱手段５は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段５をサウナ装置内に設ける必要がないので装置を小型化することができる。
【０１１９】
また、本実施形態では、水滴回収手段４を第２空気−水熱交換器１３で構成し、第２空気−水熱交換器１３の複数の伝熱板の間隙において比較的大粒の水滴を回収する構成としたが、水滴回収手段４は、水破砕手段３で発生した水滴のうち比較的大粒の水滴を回収できるものであれば良いのであって、気水分離板等を別途設ける構成としても良い。そして水破砕手段３とは別に第２循環手段２により循環するサウナ対象室１０３加湿用の空気を加熱する加熱手段、例えば温水コイルやヒーターを設け、加湿用の空気を加熱する構成としても良い。
【０１２０】
また、本実施形態では、水滴回収手段４が回収する比較的大粒の水滴について具体的な水滴径を示していないが、水滴回収手段４は使用者が目視確認できる程度の水滴を回収できるものであればよく、１００μｍ以上の粒径の水滴を回収することにより効果を奏することができるものである。より望ましくは、１０ｍ以上の粒径の水滴を回収すれば、水滴回収後の空気中には目視で確認できる水滴は殆どなくなるため、十分な効果を奏することができる。
【０１２１】
また、本実施形態では、第２循環手段２により循環する空気に含まれてサウナ対象室に供給される水滴について具体的な水滴径を示していないが、サウナ対象室１０３に供給される水滴の水滴径は使用者が目視確認できない程度の粒径であればよく、１００μｍ以下の粒径の水滴を供給すれば水滴感のない加湿を行う効果を奏することができるものである。より望ましくは、１０ｍ以下の粒径の水滴を供給すれば、供給空気中には目視で確認できる水滴は殆どなくなるため、十分な効果を奏することができる。
【０１２２】
（実施の形態４）
図４は、本発明の実施形態４にかかるサウナ装置の概略構成を示した図である。図４において、サウナ装置の本体１０１内に、サウナ対象室１０３の空気を循環させる第１循環手段１および第２循環手段２と、供給空気を加熱する空気加熱手段１０７と、供給水を細かな水滴に破砕する水破砕手段３と、水破砕手段３で発生した水滴のうち比較的大粒の水滴を回収する水滴回収手段４と、水破砕手段３に供給される供給水を加熱する水加熱手段５を備えた構成としている。第１循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第１循環風路６と、第１循環風路６に空気を送風するための第１ファン７とを備えており、第２循環手段２は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第２循環風路８と、この第２循環風路８に空気を送風するための第２ファン９とを備えている。水破砕手段３は、給水配管１０からの供給水をミスト状に噴出するミスト噴出手段１１０としての噴出ノズル１１１と、この噴出ノズル１１１から噴出したミストを更に細かく破砕するミスト破砕手段１１を備えている。ミスト破砕手段１１は、噴出ノズル１１１を第２ファン９に向けて配置し、噴出ノズル１１１から噴出したミストを第２ファン９に衝突させて第２ファン９の回転により強制的にミストを破砕する構成となっている。また、空気加熱手段１０７は、熱媒を流通させる管路および管路の熱を効率的に空気に伝熱させるための複数の伝熱板を有し、図示しない熱源機により循環する温水を熱媒とする第１空気−水熱交換器１２を、第１循環風路６内に備えた構成としており、水滴回収手段４は、同様に熱媒を流通させる管路および管路の熱を効率的に空気に伝熱させるための複数の伝熱板を有し、図示しない熱源機により循環する温水を熱媒とする第２空気−水熱交換器１３を、第２循環風路８内の第２ファン９の後段に配置した構成となっている。また、水加熱手段５は、空気加熱手段１０７と同様に図示しない熱源機により循環している温水を熱媒として用いており、この温水によって給水配管１０内の供給水を加熱する水−水熱交換器１４を備えた構成としている。そして図示しない熱源機により循環する温水は、温水配管１５によって第１空気−水熱交換器１２、第２空気−水熱交換器１３、水−水熱交換器１４の各々に分流して循環するように配管され、この分流した後の温水配管１５に各々の温水の循環を断続させる熱動弁１０９ａ、１０９ｂ、１０９ｃを設けている。また、給水配管１０にも噴出ノズル１１１への給水の供給を断続させる電磁弁１１３を設けた構成としている。
【０１２３】
上記構成において、次に運転動作を説明する。図示しないコントローラーからの運転指示が為されると、第１ファン７および第２ファン９を作動させてサウナ対象室１０３の空気を第１循環風路６および第２循環風路８に循環させるとともに、熱動弁１０９ａ、熱動弁１０９ｂおよび熱動弁１０９ｃを開状態にして、図示しない熱源機からの温水を第１空気−水熱交換器１２、第２空気−水熱交換器１３および水−水熱交換器１４の各々に分流させて循環させる。更に電磁弁１１３も開状態にして給水配管１０を通じて給水動作を行う。第１ファン７により循環するサウナ対象室１０３の空気は、第１空気−水熱交換器１２に供給されて、図示しない熱源機により循環する温水と熱交換して加熱され、高温の空気となってサウナ対象室１０３に戻る。また、給水配管１０からの供給水は、水−水熱交換器１４において図示しない熱源機により循環する温水との熱交換により加熱される。加熱された供給水は噴出ノズル１１１より高温のミスト状態となって噴出し、第２ファン９に衝突する。第２ファン９に衝突したミストは、第２ファン９の回転によって強制的に破砕され、細かな高温の水滴となり、第２ファン９により送風されるサウナ対象室１０３の空気に含まれて第２空気−水熱交換器１３に供給される。第２空気−水熱交換器１３は、図示しない熱源機により循環している温水が流通する管路と、この管路を流通する温水の熱を供給される空気に効率的に伝達するための複数の伝熱板を有しており、第２空気−水熱交換器１３に供給された細かな高温の水滴を含む空気は、この複数の伝熱板を介して温水と熱交換して加熱されるとともに、複数の伝熱板の間隙を通過する際に、含んでいる水滴のうち比較的大粒の水滴を回収されて吹出口１０４からサウナ対象室１０３に戻る。以上の動作を繰り返すことにより、空気加熱手段１０７において加熱された空気が継続的に供給されるとともに、水破砕手段３で発生した高温の水滴のうち水滴回収手段４において回収されなかった微細水滴がサウナ対象室１０３に継続して供給されるので、サウナ対象室１０３が水滴感および冷風感を伴わずに加湿されるとともに加熱されて、水滴感および冷風感のない高温高湿のサウナ空間が作られる。
【０１２４】
また、上記運転状態から熱動弁１０９ａのみを閉状態に切り替えれば、第１空気−水熱交換器１２への温水循環が遮断されるので、サウナ対象室１０３を加熱せずに加湿のみ行うことができる。
【０１２５】
また、上記運転状態から熱動弁１０９ｃおよび電磁弁１１３を閉状態に切り替えれば、水−水熱交換器１４への温水循環と噴出ノズル１１１への給水が遮断されるので、サウナ対象室を加湿せずに加熱のみ行うことができる。
【０１２６】
以上、説明した構成および動作により、本実施形態のサウナ装置は以下の効果を奏するものである。
【０１２７】
第１循環手段１によって循環しているサウナ対象室１０３の空気を、空気加熱手段１０７により加熱することによってサウナ対象室１０３を加熱することができるとともに、水破砕手段３が供給水を破砕することによって発生した水滴を、第２循環手段２により循環するサウナ対象室１０３の空気に含ませることによって、水滴感を伴わずにサウナ対象室１０３を加湿することができる。これにより使用者が水滴感を感じずに高温高湿のサウナ対象室１０３内で快適に過ごすことができ、また、ミストによって使用者の視界が遮られることがないので、使用者がサウナ対象室１０３内で映像や読書を楽しむことができる。
【０１２８】
また、ミスト噴出手段１１０が噴出したミストをミスト破砕手段１１で更に細かく破砕することによって、より細かな水滴を発生することができる。これにより水破砕手段３をミスト噴出手段１１０とミスト破砕手段１１による簡略な構成とすることができる。
【０１２９】
また、ミスト噴出手段１１０が第２循環手段２の第２ファン９に向けてミストを噴出することによって、第２ファン９の回転によりミストを強制的に破砕し、更に細かな水滴を発生させることができる。これによりサウナ対象室１０３に細かな水滴を供給して水滴感なく加湿することができるとともに、サウナ対象室１０３の空気を循環させる第２循環手段２の一部を利用して水破砕手段３を構成できるため、装置を小型化することができる。
【０１３０】
また、水破砕手段３が供給水を破砕することによって発生した水滴のうち比較的大粒の水滴を水滴回収手段４によって回収し、水滴回収手段４で回収されなかった微細水滴を第２循環手段２により循環するサウナ対象室１０３の空気に含ませることによって、サウナ対象室１０３を微細水滴によって加湿することができる。これにより使用者が水滴感を全く感じずにサウナ対象室１０３内で快適に過ごすことができる。
【０１３１】
また、水滴回収手段４を、水破砕手段３で発生した水滴のうち比較的大粒の水滴を回収するとともに、第２循環手段２により循環するサウナ対象室１０３の空気を加熱する構成とすることによって、水滴回収手段４で回収されなかった微細水滴を第２循環手段２により循環する空気により多く含ませることができる。これにより加湿量を増加することができる。
【０１３２】
また、空気加熱手段１０７を、温水を熱媒として加熱作用を行う第１空気−水熱交換器１２で構成し、水滴回収手段４を、温水を熱媒として加熱作用を行う第２空気−水熱交換器１３で構成することによって、第１循環手段１および第２循環手段２により循環するサウナ対象室１０３の空気の加熱を温水のみの単一の熱媒回路という簡略な構成で行うことができる。さらに、水破砕手段３において発生した水滴のうち比較的大粒の水滴を第２空気−水熱交換器１３が備える複数の伝熱板の間隙において回収することができる。したがって水滴を回収するための特別な加工を要することがなく、水滴回収手段４を容易に構成することができる。
【０１３３】
また、熱媒である温水を第１空気−水熱交換器１２と第２空気−水熱交換器１３とに分流して循環させる構成とすることによって、第１循環手段１により循環するサウナ対象室１０３加熱用空気の加熱と、第２循環手段２により循環するサウナ対象室１０３加湿用空気の加熱の各々の加熱量の調整、すなわち温水の分流度合いの調整や温水供給の断続を容易に行うことができる。
【０１３４】
また、水破砕手段３に供給される供給水を水加熱手段５で加熱することによって、水破砕手段３において温度の高い水滴を発生させることができる。これによりサウナ対象室１０３を水滴感および冷風感を伴わずに加湿することができる。
【０１３５】
また、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環するサウナ対象室１０３加熱用の空気を加熱し、水破砕手段３としての第２空気−水熱交換器が同様に温水を熱媒として第２循環手段２により循環するサウナ対象室１０３加湿用の空気を加熱する構成とすることによって、サウナ対象室１０３の加熱と水滴感および冷風感のない加湿を温水のみの単一の熱媒回路という簡略な構成において同時に行うことができる。
【０１３６】
また、熱媒である温水を、水−水熱交換器１４、第２空気−水熱交換器１３および第１空気−水熱交換器１２の各々に分流して循環させる構成とすることによって、各々の加熱量の調整、すなわち温水の分流度合いの調整や温水供給の断続を容易に行うことができる。
【０１３７】
なお、本実施形態では、ミスト噴出手段１１０が噴出したミストを更に細かく破砕するミスト破砕手段１１として、第２循環手段２の第２ファン９を用いたが、ミスト破砕手段１１はミストを細かく破砕できるものであれば良いのであって、回転板等を別途設ける構成としても良い。
【０１３８】
また、本実施形態では、ミスト噴出手段１１０を１個の噴出ノズル１１１にて構成したが、ミスト噴出手段１１０はミストを噴出できるものであれば良いのであって、噴出ノズルを複数設け、ミストの噴出を切り替えるように構成しても良い。
【０１３９】
また、本実施形態では、空気加熱手段１０７を熱媒に温水を用いた第１空気−水熱交換器１２を設ける構成としたが、空気加熱手段１０７は空気を加熱できるものであれば良いのであって、ヒーターを用いて空気を加熱しても良く、あるいはヒーターと温水コイルを併用しても良い。
【０１４０】
また、本実施形態では、水破砕手段３に供給される供給水を加熱する水加熱手段５として、熱媒に温水を用いた水−水熱交換器１４を設ける構成としたが、水加熱手段５は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段５をサウナ装置内に設ける必要がないので装置を小型化することができる。
【０１４１】
また、本実施形態では、水滴回収手段４を第２空気−水熱交換器１３で構成し、第２空気−水熱交換器１３の複数の伝熱板の間隙において比較的大粒の水滴を回収する構成としたが、水滴回収手段４は、水破砕手段３で発生した水滴のうち比較的大粒の水滴を回収できるものであれば良いのであって、気水分離板等を別途設ける構成としても良い。そして水破砕手段３とは別に第２循環手段２により循環するサウナ対象室１０３加湿用の空気を加熱する加熱手段、例えば温水コイルやヒーターを設け、加湿用の空気を加熱する構成としても良い。
【０１４２】
また、本実施形態では、水滴回収手段４が回収する比較的大粒の水滴について具体的な水滴径を示していないが、水滴回収手段４は使用者が目視確認できる程度の水滴を回収できるものであればよく、１００μｍ以上の粒径の水滴を回収することにより効果を奏することができるものである。より望ましくは、１０ｍ以上の粒径の水滴を回収すれば、水滴回収後の空気中には目視で確認できる水滴は殆どなくなるため、十分な効果を奏することができる。
【０１４３】
また、本実施形態では、第２循環手段２により循環する空気に含まれてサウナ対象室に供給される水滴について具体的な水滴径を示していないが、サウナ対象室１０３に供給される水滴の水滴径は使用者が目視確認できない程度の粒径であればよく、１００μｍ以下の粒径の水滴を供給すれば水滴感のない加湿を行う効果を奏することができるものである。より望ましくは、１０ｍ以下の粒径の水滴を供給すれば、供給空気中には目視で確認できる水滴は殆どなくなるため、十分な効果を奏することができる。
【０１４４】
（実施の形態５）
図５は、本発明の実施形態５にかかるサウナ装置の概略構成を示した図である。図５において、サウナ装置の本体１０１内に、サウナ対象室１０３の空気を循環させる第１循環手段１および第２循環手段２と、供給空気を加熱する空気加熱手段１０７と、供給水を細かな水滴に破砕する水破砕手段３と、水破砕手段３で発生した水滴のうち比較的大粒の水滴を回収する水滴回収手段４と、水破砕手段３に供給される供給水を加熱する水加熱手段５を備えた構成としている。第１循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第１循環風路６と、第１循環風路６に空気を送風するための第１ファン７とを備えており、第２循環手段２は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための第２循環風路８と、この第２循環風路８に空気を送風するための第２ファン９とを備えている。水破砕手段３は、給水配管１０からの供給水をミスト状に噴出するミスト噴出手段１１０としての噴出ノズル１１１と、この噴出ノズル１１１から噴出したミストを更に細かく破砕するミスト破砕手段１１を備えている。ミスト破砕手段１１は、噴出ノズル１１１を第２ファン９に向けて配置し、噴出ノズル１１１から噴出したミストを第２ファン９に衝突させて第２ファン９の回転により強制的にミストを破砕する構成となっている。また、空気加熱手段１０７は、熱媒を流通させる管路および管路の熱を効率的に空気に伝熱させるための複数の伝熱板を有し、図示しない熱源機により循環する温水を熱媒とする第１空気−水熱交換器１２を、第１循環風路６内に備えた構成としており、水滴回収手段４は、同様に熱媒を流通させる管路および管路の熱を効率的に空気に伝熱させるための複数の伝熱板を有し、図示しない熱源機により循環する温水を熱媒とする第２空気−水熱交換器１３を、第２循環風路８内の第２ファン９の後段に配置した構成となっている。また、水加熱手段５は、空気加熱手段１０７と同様に図示しない熱源機により循環している温水を熱媒として用いており、この温水によって給水配管１０内の供給水を加熱する水−水熱交換器１４を備えた構成としている。そして図示しない熱源機により循環する温水は、温水配管１５によって水−水熱交換器１４、第２空気−水熱交換器１３、第１空気−水熱交換器１２の順に循環するように配管され、この温水配管１５に温水の循環を断続させる熱動弁１０９を設けている。また、給水配管１０にも噴出ノズル１１１への給水の供給を断続させる電磁弁１１３を設けた構成としている。
【０１４５】
上記構成において、次に運転動作を説明する。図示しないコントローラーからの運転指示が為されると、第１ファン７および第２ファン９を作動させてサウナ対象室１０３の空気を第１循環風路６および第２循環風路８に循環させるとともに、熱動弁１０９を開状態にして、図示しない熱源機からの温水を水−水熱交換器１４、第２空気−水熱交換器１３、第１空気−水熱交換器１２の順に循環させる。更に電磁弁１１３も開状態にして給水配管１０を通じて給水動作を行う。第１ファン７により循環するサウナ対象室１０３の空気は、第１空気−水熱交換器１２に供給されて、図示しない熱源機により循環する温水と熱交換して加熱され、高温の空気となってサウナ対象室１０３に戻る。また、給水配管１０からの供給水は、水−水熱交換器１４において図示しない熱源機により循環する温水との熱交換により加熱される。加熱された供給水は噴出ノズル１１１より高温のミスト状態となって噴出し、第２ファン９に衝突する。第２ファン９に衝突したミストは、第２ファン９の回転によって強制的に破砕され、細かな高温の水滴となり、第２ファン９により送風されるサウナ対象室１０３の空気に含まれて第２空気−水熱交換器１３に供給される。第２空気−水熱交換器１３は、図示しない熱源機により循環している温水が流通する管路と、この管路を流通する温水の熱を供給される空気に効率的に伝達するための複数の伝熱板を有しており、第２空気−水熱交換器１３に供給された細かな高温の水滴を含む空気は、この複数の伝熱板を介して温水と熱交換して加熱されるとともに、複数の伝熱板の間隙を通過する際に、含んでいる水滴のうち比較的大粒の水滴を回収されて吹出口１０４からサウナ対象室１０３に戻る。以上の動作を繰り返すことにより、空気加熱手段１０７において加熱された空気が継続的に供給されるとともに、水破砕手段３で発生した高温の水滴のうち水滴回収手段４において回収されなかった微細水滴がサウナ対象室１０３に継続して供給されるので、サウナ対象室１０３が水滴感および冷風感を伴わずに加湿されるとともに加熱されて、水滴感および冷風感のない高温高湿のサウナ空間が作られる。
【０１４６】
以上、説明した構成および動作により、本実施形態のサウナ装置は以下の効果を奏するものである。
【０１４７】
第１循環手段１によって循環しているサウナ対象室１０３の空気を、空気加熱手段１０７により加熱することによってサウナ対象室１０３を加熱することができるとともに、水破砕手段３が供給水を破砕することによって発生した水滴を、第２循環手段２により循環するサウナ対象室１０３の空気に含ませることによって、水滴感を伴わずにサウナ対象室１０３を加湿することができる。これにより使用者が水滴感を感じずに高温高湿のサウナ対象室１０３内で快適に過ごすことができ、また、ミストによって使用者の視界が遮られることがないので、使用者がサウナ対象室１０３内で映像や読書を楽しむことができる。
【０１４８】
また、ミスト噴出手段１１０が噴出したミストをミスト破砕手段１１で更に細かく破砕することによって、より細かな水滴を発生することができる。これにより水破砕手段３をミスト噴出手段１１０とミスト破砕手段１１による簡略な構成とすることができる。
【０１４９】
また、ミスト噴出手段１１０が第２循環手段２の第２ファン９に向けてミストを噴出することによって、第２ファン９の回転によりミストを強制的に破砕し、更に細かな水滴を発生させることができる。これによりサウナ対象室１０３に細かな水滴を供給して水滴感なく加湿することができるとともに、サウナ対象室１０３の空気を循環させる第２循環手段２の一部を利用して水破砕手段３を構成できるため、装置を小型化することができる。
【０１５０】
また、水破砕手段３が供給水を破砕することによって発生した水滴のうち比較的大粒の水滴を水滴回収手段４によって回収し、水滴回収手段４で回収されなかった微細水滴を第２循環手段２により循環するサウナ対象室１０３の空気に含ませることによって、サウナ対象室１０３を微細水滴によって加湿することができる。これにより使用者が水滴感を全く感じずにサウナ対象室１０３内で快適に過ごすことができる。
【０１５１】
また、水滴回収手段４を、水破砕手段３で発生した水滴のうち比較的大粒の水滴を回収するとともに、第２循環手段２により循環するサウナ対象室１０３の空気を加熱する構成とすることによって、水滴回収手段４で回収されなかった微細水滴を第２循環手段２により循環する空気により多く含ませることができる。これにより加湿量を増加することができる。
【０１５２】
また、空気加熱手段１０７を、温水を熱媒として加熱作用を行う第１空気−水熱交換器１２で構成し、水滴回収手段４を、温水を熱媒として加熱作用を行う第２空気−水熱交換器１３で構成することによって、第１循環手段１および第２循環手段２により循環するサウナ対象室１０３の空気の加熱を温水のみの単一の熱媒回路という簡略な構成で行うことができる。さらに、水破砕手段３において発生した水滴のうち比較的大粒の水滴を第２空気−水熱交換器１３が備える複数の伝熱板の間隙において回収することができる。したがって水滴を回収するための特別な加工を要することがなく、水滴回収手段４を容易に構成することができる。
【０１５３】
また、熱媒である温水を第２空気−水熱交換器１３、第１空気−水熱交換器１２の順に循環させることによって、単一の温水循環回路という簡易な構成において、第２循環手段２により循環するサウナ対象室１０３加湿用空気の加熱と、第１循環手段１により循環するサウナ対象室１０３加熱用空気の加熱を行うことができる。さらに第２循環手段２によって循環する空気をより高温に加熱することが可能となり、サウナ対象室１０３の加湿効果を高めることができる。
【０１５４】
また、水破砕手段３に供給される供給水を水加熱手段５で加熱することによって、水破砕手段３において温度の高い水滴を発生させることができる。これによりサウナ対象室１０３を水滴感および冷風感を伴わずに加湿することができる。
【０１５５】
また、水加熱手段５としての水−水熱交換器１４が温水を熱媒として水破砕手段３に供給される供給水を加熱するとともに、空気加熱手段１０７としての第１空気−水熱交換器１２が温水を熱媒として第１循環手段１により循環するサウナ対象室１０３加熱用の空気を加熱し、水破砕手段３としての第２空気−水熱交換器が同様に温水を熱媒として第２循環手段２により循環するサウナ対象室１０３加湿用の空気を加熱する構成とすることによって、サウナ対象室１０３の加熱と水滴感および冷風感のない加湿を温水のみの単一の熱媒回路という簡略な構成において同時に行うことができる。
【０１５６】
また、熱媒である温水を、前記水−水熱交換器１４、前記第２空気−水熱交換器１３および前記第１空気−水熱交換器１２に直列に循環させる構成とすることによって、単一の温水循環回路においてサウナ対象室１０３の加湿用空気の加熱、加熱用空気の加熱および供給水の加熱を行うことができ、熱媒回路の構成を簡略化することができる。
【０１５７】
なお、本実施形態では、ミスト噴出手段１１０が噴出したミストを更に細かく破砕するミスト破砕手段１１として、第２循環手段２の第２ファン９を用いたが、ミスト破砕手段１１はミストを細かく破砕できるものであれば良いのであって、回転板等を別途設ける構成としても良い。
【０１５８】
また、本実施形態では、ミスト噴出手段１１０を１個の噴出ノズル１１１にて構成したが、ミスト噴出手段１１０はミストを噴出できるものであれば良いのであって、噴出ノズルを複数設け、ミストの噴出を切り替えるように構成しても良い。
【０１５９】
また、本実施形態では、空気加熱手段１０７を熱媒に温水を用いた第１空気−水熱交換器１２を設ける構成としたが、空気加熱手段１０７は空気を加熱できるものであれば良いのであって、ヒーターを用いて空気を加熱しても良く、あるいはヒーターと温水コイルを併用しても良い。
【０１６０】
また、本実施形態では、水破砕手段３に供給される供給水を加熱する水加熱手段５として、熱媒に温水を用いた水−水熱交換器１４を設ける構成としたが、水加熱手段５は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段５をサウナ装置内に設ける必要がないので装置を小型化することができる。
【０１６１】
また、本実施形態では、水滴回収手段４を第２空気−水熱交換器１３で構成し、第２空気−水熱交換器１３の複数の伝熱板の間隙において比較的大粒の水滴を回収する構成としたが、水滴回収手段４は、水破砕手段３で発生した水滴のうち比較的大粒の水滴を回収できるものであれば良いのであって、気水分離板等を別途設ける構成としても良い。そして水破砕手段３とは別に第２循環手段２により循環するサウナ対象室１０３加湿用の空気を加熱する加熱手段、例えば温水コイルやヒーターを設け、加湿用の空気を加熱する構成としても良い。
【０１６２】
また、本実施形態では、水滴回収手段４が回収する比較的大粒の水滴について具体的な水滴径を示していないが、水滴回収手段４は使用者が目視確認できる程度の水滴を回収できるものであればよく、１００μｍ以上の粒径の水滴を回収することにより効果を奏することができるものである。より望ましくは、１０ｍ以上の粒径の水滴を回収すれば、水滴回収後の空気中には目視で確認できる水滴は殆どなくなるため、十分な効果を奏することができる。
【０１６３】
また、本実施形態では、第２循環手段２により循環する空気に含まれてサウナ対象室に供給される水滴について具体的な水滴径を示していないが、サウナ対象室１０３に供給される水滴の水滴径は使用者が目視確認できない程度の粒径であればよく、１００μｍ以下の粒径の水滴を供給すれば水滴感のない加湿を行う効果を奏することができるものである。より望ましくは、１０ｍ以下の粒径の水滴を供給すれば、供給空気中には目視で確認できる水滴は殆どなくなるため、十分な効果を奏することができる。
【０１６４】
また、本実施形態では、図示しない熱源機により循環する温水を、水−水熱交換器１４、第２空気−水熱交換器１３、第１空気−水熱交換器１２の順に循環させて単一の温水循環回路による簡略な熱媒回路構成としたが、循環する順番を変更しても熱媒回路の簡略化に関わる効果に差異は生じない。
【産業上の利用可能性】
【０１６５】
以上のように本発明にかかるサウナ装置は、微細な水滴によって水滴感を伴わずに加湿するとともに加熱することにより、使用者が、水滴感を感じずに快適に過ごすことができ、また、ミストによって視界を遮られずに映像や読書を楽しむことができる高温高湿のサウナ空間を提供できるものであり、浴室や居室をサウナ空間とする場合に適している。
【図面の簡単な説明】
【０１６６】
【図１】本発明の実施形態１にかかるサウナ装置の概略構成を示した図
【図２】本発明の実施形態２にかかるサウナ装置の概略構成を示した図
【図３】本発明の実施形態３にかかるサウナ装置の概略構成を示した図
【図４】本発明の実施形態４にかかるサウナ装置の概略構成を示した図
【図５】本発明の実施形態５にかかるサウナ装置の概略構成を示した図
【図６】従来のサウナ装置の概略構成を示した図
【符号の説明】
【０１６７】
１      第１循環手段
２      第２循環手段
３      水破砕手段
４      水滴回収手段
５      水加熱手段
９      第２ファン
１１    ミスト破砕手段
１２    第１空気−水熱交換器
１３    第２空気−水熱交換器
１４    水−水熱交換器
１０３  サウナ対象室
１０７  空気加熱手段
１１０  ミスト噴出手段
【図１】
2006025966.tif 000003
【図２】
2006025966.tif 000004
【図３】
2006025966.tif 000005
【図４】
2006025966.tif 000006
【図５】
2006025966.tif 000007
【図６】
2006025966.tif 000008